(57)【特許請求の範囲】
【請求項１】
情報記録媒体に情報を記録または再生するための光を発生する発生手段と、
前記情報記録媒体のトラック上に順次形成される固定長の記録ブロック、並びに前記記録ブロックの前方および後方にそれぞれ付加された固定長のリンキングセクションにおいて、前記記録ブロックの後方に付加されたリンキングセクションに一部が重複して次の記録ブロックの前方に付加されたリンキングセクションが形成されるように、情報の記録のタイミングを制御するタイミング制御手段と、
少なくとも情報が重複して記録される前記リンキングセクションに、情報を記録した第１の領域、情報を消去した第２の領域、および情報が記録されず、かつ、消去もされない第３の領域が形成されるように、光の強度を制御する強度制御手段と
を備えることを特徴とする情報記録再生装置。
【請求項２】
前記第１の領域と第２の領域の長さは、前記情報の最小反転間隔の長さとされ、前記第３の領域の長さは、前記情報の最大反転間隔の長さとされる
ことを特徴とする請求項１に記載の情報記録再生装置。
【請求項３】
前記強度制御手段は、前記最小反転間隔の前記第１の領域と第２の領域、および前記最大反転間隔の前記第３の領域が形成されているリンキングセクションの次のリンキングセクションには、情報を記録した最小反転間隔の第４の領域と、情報を消去した最大反転間隔の第５の領域が形成されるように、光の強度を制御する
ことを特徴とする請求項２に記載の情報記録再生装置。
【請求項４】
前記記録媒体は、相変化型の光ディスクであり、
前記第１の領域乃至第３の領域が形成される領域は、APC領域である
ことを特徴とする請求項１に記載の情報記録再生装置。
【請求項５】
情報記録媒体に情報を記録または再生するための光を発生する発生ステップと、
前記情報記録媒体のトラック上に順次形成される固定長の記録ブロック、並びに前記記録ブロックの前方および後方にそれぞれ付加された固定長のリンキングセクションにおいて、前記記録ブロックの後方に付加されたリンク領域に一部が重複して次の記録ブロックの前方に付加されたリンキングセクションが形成されるように、情報の記録のタイミングを制御するタイミング制御ステップと、
少なくとも情報が重複して記録される前記リンキングセクションに、情報を記録した第１の領域、情報を消去した第２の領域、および情報が記録されず、かつ、消去もされない第３の領域が形成されるように、光の強度を制御する強度制御ステップと
を備えることを特徴とする情報記録再生方法。
【請求項６】
情報記録媒体のトラック上に順次形成される固定長の記録ブロック、並びに前記記録ブロックの前方および後方にそれぞれ付加された固定長のリンキングセクションにおいて、前記記録ブロックの後方に付加されたリンキングセクションに一部が重複して次の記録ブロックの前方に付加されたリンキングセクションが形成されるように、情報の記録のタイミングを制御するタイミング制御ステップと、
少なくとも情報が重複して記録される前記リンキングセクションに、情報を記録した第１の領域、情報を消去した第２の領域、および情報が記録されず、かつ、消去もされない第３の領域が形成されるように、前記情報記録媒体に情報を記録または再生するための光の強度を制御する強度制御ステップと
を備えるプログラムを伝送することを特徴とする伝送媒体。
【発明の詳細な説明】
【０００１】
【発明の属する技術分野】
本発明は、情報記録再生装置および方法、並びに伝送媒体に関し、特に、一部の情報を重複して記録する場合において、所定のパターンを記録するようにして、情報記録媒体に与える損傷が少なくなるようにした、情報記録再生装置および方法、並びに伝送媒体に関する。
【０００２】
【従来の技術】
光ディスクには、再生専用のROMディスクと、データの記録（書換）と再生の両方が可能なRAMディスクの２種類がある。ROMディスクは、データが途切れることなく、連続的に記録されている。従って、ディスク上に形成されているマーク（なお、本明細書において、マークの概念には、物理的な凸凹により形成されるピットも含まれるものとする）の前後方向のエッジを利用したDPD（Differential Phase Detection）方式でトラッキング制御を行うことができる。
【０００３】
一方、RAMディスクは、データが記録されていない状態においては、トラックにマークが形成されていない（すなわち、前後方向のエッジが存在しない）状態の領域が形成される。RAMディスクに対して、データを記録または再生する光ディスク装置は、データが記録されていない状態においてもトラッキングができるように、通常グルーブが形成されている。そして、トラッキングは、このグルーブの側壁（トラックの側壁）を利用して行われる。ROMディスクは、グルーブが形成されていなくとも、マークの左右方向のエッジが、グルーブの側壁と対応するので、ROMディスクをRAMディスク用の光ディスク装置に装着してトラッキング制御を行い、データを再生することは可能である。
【０００４】
しかしながら、少なくとも一部にデータが記録されていない区間が存在するRAMディスクを、DPD方式でトラッキングを行うROMディスク専用の光ディスク装置に装着すると、データが記録されていない区間においてトラッキング制御を行うことができないので、RAMディスクを正確にドライブすることが困難になる。そこで、ROMディスク専用の光ディスク装置においても、RAMディスクをドライブすることができるようにするには、RAMディスクにデータの無記録区間が形成されないようにする必要がある。
【０００５】
そこでRAMディスクにおいては、データがECCブロック単位で記録されるようになされているが、前のECCブロックの後方に、次のECCブロックのデータを記録するとき、その一部が重複して記録されるようにし、前のECCブロックと次のECCブロックとの間に、ジッタなどに起因してデータを記録していない区間が形成されてしまうことがないようになされている。
【０００６】
すなわち、従来のRAMディスクにおいては、データを重複する区間に、図１３に示すように、４Ｔの長さのマーク（記録マーク）と、４Ｔの長さのマーク（消去マーク）を繰り返し記録するようにしている。
【０００７】
【発明が解決しようとする課題】
このように、RAMディスクは、データが一部重複するように記録されるようになされているため、データを何回も書き換えていると、その重複する領域のデー3タ書換回数は、重複しない領域のデータ書換数の２倍となり、それだけデータ書換回数に対する信頼性が損なわれる課題があった。
【０００８】
また、データを重複して記録する区間は、通常、APC（Automatic Power Control）エリアとされ、その区間におけるデータの書き込み状態から、データを記録するときのレーザのパワーを調整するようにしているので、その領域が損傷を受けると、正確にレーザのパワーを設定することが困難になる課題があった。
【０００９】
さらに、OPC（Optional Power Control）エリアが光ディスクの最内周に形成されており、そこにもAPCエリアが形成されているが、そのAPCエリアにおけるデータの記録状態から、光ディスクを装着した後、光ディスク装置の使用環境が変化した場合における光の強度の調整を行うようにしているので、この領域のAPCエリアが損傷を受けると、光ディスク装置の使用環境の変化に対する調整も困難となる課題があった。
【００１０】
本発明はこのような状況に鑑みてなされたものであり、データが重複して記録される領域における損傷が、できるだけ少なくなるようにするものである。
【００１１】
【課題を解決するための手段】
請求項１に記載の情報記録再生装置は、情報記録媒体に情報を記録または再生するための光を発生する発生手段と、情報記録媒体のトラック上に順次形成される固定長の記録ブロック、並びに記録ブロックの前方および後方にそれぞれ付加された固定長のリンキングセクションにおいて、記録ブロックの後方に付加されたリンキングセクションに一部が重複して次の記録ブロックの前方に付加されたリンキングセクションが形成されるように、情報の記録のタイミングを制御するタイミング制御手段と、少なくとも情報が重複して記録されるリンキングセクションに、情報を記録した第１の領域、情報を消去した第２の領域、および情報が記録されず、かつ、消去もされない第３の領域が形成されるように、光の強度を制御する強度制御手段とを備えることを特徴とする。
【００１２】
請求項５に記載の情報記録再生方法は、情報記録媒体に情報を記録または再生するための光を発生する発生ステップと、情報記録媒体のトラック上に順次形成される固定長の記録ブロック、並びに記録ブロックの前方および後方にそれぞれ付加された固定長のリンキングセクションにおいて、記録ブロックの後方に付加されたリンキングセクションに一部が重複して次の記録ブロックの前方に付加されたリンキングセクションが形成されるように、情報の記録のタイミングを制御するタイミング制御ステップと、少なくとも情報が重複して記録されるリンキングセクションに、情報を記録した第１の領域、情報を消去した第２の領域、および情報が記録されず、かつ、消去もされない第３の領域が形成されるように、光の強度を制御する強度制御ステップとを備えることを特徴とする。
【００１３】
請求項６に記載の伝送媒体は、情報記録媒体のトラック上に順次形成される固定長の記録ブロック、並びに記録ブロックの前方および後方にそれぞれ付加された固定長のリンキングセクションにおいて、記録ブロックの後方に付加されたリンキングセクションに一部が重複して次の記録ブロックの前方に付加されたリンキングセクションが形成されるように、情報の記録のタイミングを制御するタイミング制御ステップと、少なくとも情報が重複して記録されるリンキングセクションに、情報を記録した第１の領域、情報を消去した第２の領域、および情報が記録されず、かつ、消去もされない第３の領域が形成されるように、情報記録媒体に情報を記録または再生するための光の強度を制御する強度制御ステップとを備えるプログラムを伝送することを特徴とする。
【００１４】
請求項１に記載の情報記録再生装置、請求項５に記載の情報記録再生方法、および請求項６に記載の伝送媒体においては、少なくとも情報が重複して記録されるリンキングセクションに、情報を記録した第１の領域、情報を消去した第２の領域、および情報が記録もされず、かつ、消去もされない第３の領域が形成されるように、光の強度が制御される。
【００１５】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１６】
請求項１に記載の情報記録再生装置は、情報記録媒体に情報を記録または再生するための光を発生する発生手段（例えば、図１のレーザダイオード１１）と、情報記録媒体のトラック上に順次形成される固定長の記録ブロック、並びに記録ブロックの前方および後方にそれぞれ付加された固定長のリンキングセクションにおいて、記録ブロックの後方に付加されたリンキングセクションに一部が重複して次の記録ブロックの前方に付加されたリンキングセクションが形成されるように、情報の記録のタイミングを制御するタイミング制御手段（例えば、図１のサーボ回路５）と、少なくとも情報が重複して記録されるリンキングセクションに、情報を記録した第１の領域、情報を消去した第２の領域、および情報が記録されず、かつ、消去もされない第３の領域が形成されるように、光の強度を制御する強度制御手段（例えば、図１のサーボ回路５）とを備えることを特徴とする。
【００１７】
図１は、本発明の情報記録再生装置を適用した光ディスク装置の構成例を表している。ディスク１は、相変化型の光ディスクであり、データを複数回書き換えることが可能とされている。このディスク１は、スピンドルモータ２により、所定の速度で回転されるようになされている。光学ヘッド３は、レーザダイオード駆動回路（LDD）２１により駆動されるレーザダイオード（ＬＤ）１１を有し、ＬＤ１１より出射されたレーザ光は、コリメータレンズ１２により平行光に変換された後、ビームスプリッタ１３を介して対物レンズ１４に入射され、対物レンズ１４により収束されて、ディスク１に照射されるようになされている。ディスク１からの反射光は、対物レンズ１４を介してビームスプリッタ１３に入射され、そこで反射されて、レンズ１８により収束され、ホトダイオード（ＰＤ）１９に入射されるようになされている。ＰＤ１９の出力する電流は、電流電圧（Ｉ／Ｖ）変換回路２０で電圧信号に変換され、信号再生復号回路４とサーボ回路５に出力されるようになされている。
【００１８】
また、ＬＤ１１より出射され、コリメータレンズ１２からビームスプリッタ１３に入射されたレーザ光の一部は、ビームスプリッタ１３で反射され、レンズ１５により収束されて、ホトダイオード（ＰＤ）１６に入射されるようになされている。ＰＤ１６は、ＬＤ１１の出射するレーザ光の強度に対応する電流信号を出力する。この電流信号は、電流電圧（Ｉ／Ｖ）変換回路１７で電圧信号に変換された後、サーボ回路５に出力されるようになされている。
【００１９】
信号再生復号回路４は、電流電圧変換回路２０より入力されたディスク１からの再生信号を復号し、復号データをコントローラ７に供給する。コントローラ７は、入力されたデータを適宜処理し、必要に応じて図示せぬホストコンピュータなどへ出力するようになされている。
【００２０】
また、サーボ回路５は、電流電圧変換回路２０より供給された信号から、フォーカスサーボ、トラッキングサーボの制御信号を生成し、光学ヘッド３に出力するようになされている。さらにまた、サーボ回路５は、スピンドルサーボ信号を生成し、スピンドルモータ２に出力するようになされている。
【００２１】
サーボ回路５は、さらに、複数のレジスタ６を有し（図１においては、便宜上１個のレジスタのみが示されている）、電流電圧変換回路１７の出力する値、あるいは、コントローラ７またはホストコンピュータから供給されるＬＤ１１の駆動電流を制御する値を保持するようになされている。
【００２２】
信号エンコード回路８は、コントローラ７から供給される記録データをエンコードし、書き込み信号を生成して、LDD２１に出力するようになされている。LDD２１は、この書き込み信号に対応してＬＤ１１を駆動する。
【００２３】
図２は、ディスク１のエリアのフォーマットを示している。同図に示すように、ディスク１の最内周の所定の範囲の領域はOPCエリアとされ、それより外周の領域はデータエリアとされる。いずれのエリアにおいても、記録再生の単位はECCブロックとされている。１ECCブロック（３２キロバイト）は、１６セクタにより構成され、１セクタは、２６フレームにより構成されている。１フレームは９１バイトとされる。各ECCブロックの先頭には、約７フレームのリンキングセクションが付加され、その最初の約２フレームは、APCエリアとされている。ECCブロックの後方には、約２フレームのリンキングセクションが付加されている。OPCエリアとデータエリアのいずれにおいても、APCエリアには、図５と図６を参照して後述する、パターン１またはパターン２のデータが記録される。ECCブロックには、OPCエリアの場合、最小反転間隔（いまの場合３Ｔ）のデータと、最大反転間隔（いまの場合１１Ｔ）のデータが交互に記録される。データエリアにおけるECCブロックには、本来記録されるべきデータが記録される。
【００２４】
ディスク１には、サーボ回路５によりタイミングが制御され、前のECCブロックのリンキングセクションの一部に、次のECCブロックのリンキングセクションの一部が重複して記録されるようになされている。図３は、この関係を表している。同図に示すように、各ECCブロックの間には、標準的な長さが８フレームのリンキングセクションが形成される。この８フレームのリンキングセクションの内、約２フレームのリンキングセクションは、ECCブロックの最後尾に付加され、約７フレームのリンキングセクションは、ECCブロックの先頭に付加される。
【００２５】
換言すれば、１つのECCブロックを記録するとき、約７フレームのリンキングセクションに続いて、１ECCブロックのデータが書き込まれ、それに続いて、約２フレームのリンキングセクションが記録される。１つのECCブロックに続いて、次のECCブロックが連続して記録される場合には、その間のリンキングセクションのフレーム数は、ちょうど８フレームとされる。すなわち、この場合には、前のリンキングセクションと次のリンキングセクションは重複されない。
【００２６】
これに対して、所定のトラックに、既に記録されているECCブロックの後方に、新たなECCブロックを記録する場合には、リンキングセクションの最後のフレームと先頭のフレームは、その一部が重複するようにデータが記録される。
【００２７】
ECCブロックの終端には、シンクＳＹ１に続いて１フレーム分のダミーデータが記録され、さらにその次に、シンクＳＹ７に続いて、５３バイト±ｘ１の長さのダミーデータ記録される。このｘ１の値は、−３２から＋３２の間の所定の値とされ、乱数により、適宜設定される。従って、最後尾のリンキングセクションの長さは、最小２１（＝５３−３２）バイトなり、最大８５（＝５３＋３２）バイトとなる。
【００２８】
ECCブロックＮが記録されている状態において、その後方に、新たなECCブロックＮ＋１を書き込むとき、リンキングセクションの先頭から、最初のシンクＳＹ２までの長さは、４６±ｘ２バイトとされる。このｘ２の値も、乱数により、適宜設定される。但し、ｘ２の極性とｘ１の極性は逆極性とされる。
【００２９】
リンキングブロックの先頭の位置は、直前の（記録済の）リンキングセクションのシンクＳＹ７から５３±ｘ１−８バイトの位置から書き始められる。従って、直前のリンキングセクションの端部から前方に８バイトの長さの領域が、重複してデータが記録される領域とされる。但し、リンキングセクションのデータ書き始めの位置は、±４バイトのジッタが許容されているので、この重複記録領域の長さは、最小４（＝８−４）バイトとなり、最大１２（＝８＋４）バイトとなる。前のECCブロックのリンキングセクションのシンクＳＹ７と、次のECCブロックのリンキングセクションのシンクＳＹ２の間のフレームの長さは、９１（＝５３−８＋４６）−ｘ１＋ｘ２となる。ジッタを含めて考えれば、この長さは、さらに±４バイトの誤差が発生する。
【００３０】
ECCブロックの先頭のリンキングセクションの最初のシンクＳＹ２の次には、以下、シンクＳＹ７，ＳＹ３，ＳＹ７，ＳＹ４，ＳＹ７，ＳＹ０が順次配置され、シンクＳＹ０の次からECCブロックが配置される。
【００３１】
APCエリアは、ECCブロックの先頭のリンキングセクションの先頭から最初のシンクＳＹ７までのエリアとされ、このAPCエリアの最初の１２バイト（最大長の重複記録領域）には、後述する図５のパターン１のデータが記録され、残りのエリアには、パターン２のデータが記録される。
【００３２】
リンキングセクションのその他のエリア、すなわち、ECCブロックの端部に付加されている、約２フレームのリンキングセクション、並びにECCブロックの先頭に付加されているリンキングセクションの最初のシンクＳＹ７からECCブロックの先頭のシンクＳＹ０までの５フレームのエリアには、４Ｔの長さの記録マークと、４Ｔの長さの消去マークが、交互に記録される。
【００３３】
次に、図１の実施の形態の動作について説明する。光ディスク装置にディスク１が装着されたとき、コントローラ７は、図４のフローチャートに示す処理（ディスク１の最内周のOPCエリアにテストデータを記録し、これを再生する処理）を実行する。
【００３４】
すなわち、最初にステップＳ１において、コントローラ７は、ＬＤ１１の出力するレーザ光の強度の調整ステップ数を表す変数ｎを１に初期設定する。
【００３５】
次に、ステップＳ２に進み、コントローラ７は、変数ｎに対応したパラメータをサーボ回路６のレジスタ６に設定する。すなわち、このときレジスタ６に、Ｉcool_n，Ｉwrite_n，Ｉerase_nを設定する（いまの場合、ｎ＝１である）。Ｉcool_nは、ＬＤ１１にクーリング期間の強度のレーザ光を発生させるためのＬＤ１１の駆動電流（駆動電圧）の値を表している。このクーリング期間のレーザ光の強度は、図５（Ａ）と図６（Ａ）において、文字Ｃで表されている。
【００３６】
Ｉwrite_nは、次式で表される。
Ｉwrite_n＝Ｉcool_n＋ΔCW_n
【００３７】
Ｉwrite_nは、ＬＤ１１にデータを記録するときの強度（図５（Ａ）と図６（Ａ）において文字Ｗで示す強度）のレーザ光を発生させるための駆動電流（駆動電圧）の値を表している。上式におけるΔCW_nは定数であり、Ｉwrite_nとＩcool_nとの差に対応しており、Ｉwrite_nとしては、Ｉcool_nにΔCW_nを加算した値が設定される。
【００３８】
Ｉerase_nは、ＬＤ１１にデータを消去させるときの強度（図５（Ａ）と図６（Ａ）において文字Ｅで示す強度）のレーザ光を発生させるとき、供給される駆動電流（駆動電圧）の値を意味しており、次式で表される。
Ｉerase_n＝Ｉcool_n＋ΔCE_n
【００３９】
上式におけるΔCE_nは定数であり、Ｉerase_nには、この定数をＩcool_nに加算した値が設定される。
【００４０】
その詳細は後述するが、これらの値は、後述する図１１に示すAPC回路４１−ｉのレジスタ６１に設定される。また、いまの場合ｎ＝１であるから、これらの値には、最も小さい値が設定される。
【００４１】
次に、ステップＳ３に進み、コントローラ７は、サーボ回路５を制御し、書き込み動作をECCブロック単位で実行させる。
【００４２】
すなわち、サーボ回路５は、LDD２１を制御し、ＬＤ１１のクーリング期間のレーザ光の強度Ｃを設定値Ｉcool_1で規定し、データを記録するときの強度Ｗを設定値Ｉwrite_1で規定し、データを消去するときの強度Ｅを設定値Ｉerase_1で規定するように制御する。
【００４３】
また、コントローラ７は、図３に示すように、APCエリアの最初の８バイトの区間においては、図５に示すパターン１のデータを発生し、APCエリアの残りの区間においては、図６に示すパターン２のデータを発生し、信号エンコード回路８に供給する。信号エンコード回路８は、入力されたデータを対応する書き込み信号に変換し、LDD２１に供給する。図５に示すように、パターン１は、最小反転間隔（３Ｔ）の長さのマーク（記録マーク）、最小反転間隔の長さのマーク（消去マーク）、および、最大反転間隔（１１Ｔ）の長さの無信号区間が繰り返されるパターンとされている。これに対して、図６に示すパターン２は、最小反転間隔のマーク（記録マーク）と最大反転間隔のマーク（消去マーク）が繰り返されるパターンとされている。
【００４４】
ＬＤ１１より所定の強度のレーザ光が発生されると、このレーザ光は、コリメータレンズ１２で平行光に変換され、ビームスプリッタ１３を介して対物レンズ１４に入射され、そこで収束されてディスク１に照射される。その結果、ディスク１のOPCエリア中のAPCエリアには、パターン１またはパターン２に対応するマークが形成される。
【００４５】
３Ｔの期間のマーク（記録マーク）を記録した後、３Ｔの期間のマーク（消去マーク）を記録するには、原理的には、３Ｔの書き込み期間中、０．５Ｔの期間、強度Ｗであり、次の０．５Ｔの期間、強度Ｃである光パルスを３個発生することで、３Ｔの記録マークを記録することができる。また、３Ｔの消去期間、強度Ｅのレーザ光を出力することで、３Ｔの期間の消去マークを形成することができる。しかしながら、強度Ｗのレーザ光が照射されると、ディスク１が熱をもち、それが冷却されるのに時間がかかることになる。そこで、実際には、図５（Ａ）に示すように、レーザ光の強度は、最初に０．５Ｔの期間、強度Ｗとし、次の０．５Ｔの期間、強度Ｃとし、次の０．５Ｔの期間、強度Ｗとし、次の１Ｔの期間、強度Ｃとし、次の３．５Ｔの期間、強度Ｅとすることにより、図５（Ｅ）に示すように、３Ｔの記録マークと３Ｔの消去マークを相変化により記録することができる。
【００４６】
次の１１Ｔの期間は、レーザ光の強度が、強度Ｃとされる。この強度Ｃは、データを読み出すときの強度Ｒよりは強度が大きいが、ディスク１にはマークが記録もされないし、また、既に記録されているマークが消去もされない程度の強度となっている。従って、１１Ｔの期間は、記録マークも消去マークも記録しない無記録領域となる。
【００４７】
ＬＤ１１が出射したレーザ光の一部は、ビームスプリッタ１３で反射され、レンズ１５を介してＰＤ１６に入射される。従って、ＰＤ１６は、ＬＤ１１が実際に出射したレーザ光の強度に対応する信号を出力する。この信号が、電流電圧変換回路１７により電圧信号変換され、サーボ回路５に供給される。サーボ回路５は、図５（Ｂ）に示すように、１１Ｔの長さのクーリング期間が開始してから１Ｔの期間が経過した後、クーリング期間が終了するまでの間、ＬＤ１１の出射するレーザ光の強度（ＰＤ１６が出力する値Ｉpcool）が、ステップＳ２で設定した設定値Ｉcool_1に一致するようにAPCサーボをかける。
【００４８】
また、強度Ｅが設定されてから、１Ｔの期間が経過した後、強度Ｅの消去期間が終了するまでの間、図５（Ｃ）に示すように、ＬＤ１１の出射するレーザ光の強度（ＰＤ１６が出力する値Ｉperase_1）が、ステップＳ２で、リファレンスレジスタ６１に設定した値Ｉerase_1に一致するするように、APCサーボがかけられる。
【００４９】
さらに、図５（Ｄ）に示すように、強度Ｗのレーザ光が発生されるようになってから１Ｔの期間が経過したときから（２回目の強度Ｗの光が発生されるタイミングで）、１Ｔの期間、ＬＤ１１の出射するレーザ光の強度（ＰＤ１６の出力する値Ｉpwrite_1が、ステップＳ２で設定された値Ｉwrite_1に一致するように、APCサーボがかけられる。
【００５０】
図５（Ｅ）に示すように、ECCブロックが、前のECCブロックに重複して書き込まれる可能性がある区間においては、無記録領域が形成される。この無記録領域においては、データが２重には書き込まれないことになる。また、無記録領域の長さは１１Ｔの長さであり、２４フレームのデータ記録領域における最大反転間隔と等しい長さであり、規格上データとして存在することが許容されている最大の長さである。従って、それだけ重複してデータが書き込まれる領域におけるディスク１の書き込み回数を減らすことができる。その結果、それだけ、ディスク１の損傷を抑制することができる。
【００５１】
一方、APCエリアの残りの区間においては、図６（Ｅ）に示すように、３Ｔの区間の記録マークと、１１Ｔの区間の消去マークが、交互に記録される。原理的には、このためには、０．５Ｔの期間、強度Ｗで、次の０．５Ｔの期間、強度Ｃとなる光パルスを３個発生して３Ｔの記録マークを形成し、１１Ｔの期間、強度Ｅとなるレーザ光を発生して消去マークを形成すれば良いのであるが、実際には、上述したように、光ディスク１の蓄熱効果を考慮する必要がある。そこで、図６（Ａ）に示すように、０．５Ｔの期間、強度Ｗで、次の０．５Ｔ期間、強度Ｃとなるパルスを２個発生した後、１２Ｔの期間、強度Ｅとなるように制御する。これにより、図６（Ｅ）に示すように、３Ｔの長さの記録マークと１１Ｔの長さの消去マークを記録することができる。
【００５２】
このパターン２を記録する区間においては、図６（Ｃ）に示すように、強度Ｅの光が発生してから１Ｔの期間が経過した後、強度Ｅの光が継続して発生されている間（強度Ｅから強度Ｗに強度が変更されるまでの間）、ＬＤ１１の出射したレーザ光の強度（ＰＤ１６の出力値Ｉperase_1）が、ステップＳ２で設定した設定値Ｉerase_1と等しくなるようにAPCサーボがかけられる。また、図６（Ｄ）に示すように、２回目の強度Ｗの光が発生されてから１Ｔの期間、ＬＤ１１の出力するレーザ光の強度（ＰＤ１６の出力Ｉpwrite_1）が、ステップＳ２で設定した設定値Ｉwrite_1と等しくなるようにAPCサーボがかけられる。
【００５３】
図６（Ｂ）に示すように、クーリング期間のAPC動作は行われず、パターン１の区間におけるクーリング期間の強度ＣのAPCサーボの結果が、そのままホールドされる。
【００５４】
なお、図５と図６に示すように、APC動作の開始のタイミングを１Ｔだけ遅延させているのは、動作が安定した後、APC動作を実行するようにするためである。
【００５５】
APCエリアが終了した後、続く２４フレームのデータ記録領域においては、３Ｔの記録マークと１１Ｔの消去マークがテストデータとして交互に記録される。なお、この２４フレームのデータ記録領域においては、APC制御は行われず、APCエリアの最後のクーリング期間、書き込み期間、または消去期間の強度が、そのままホールドされる（但し、書き込み期間と消去期間においては、APC動作を行うようにしても良い）。
【００５６】
なお、以上のようにして、１ECCブロック分のデータが記録されたとき、記録完了直前のＰＤ１６の出力Ｉpcool_1がサーボ回路５のレジスタ６に保持される。
【００５７】
次に、ステップＳ４に進み、変数ｎが８であるか否かが判定される。いまの場合、ｎ＝１であるため、ステップＳ５に進み、変数ｎが１だけインクリメントされて、ｎ＝２とされる。
【００５８】
次に、ステップＳ２に戻り、コントローラ７は、サーボ回路５のリファレンスレジスタ６１に、ｎ＝２に対応する設定値Ｉcool_2，Ｉwrite_2，Ｉerase_2を設定する。これらの値は、ｎ＝１における場合より、若干大きい値とされている。
【００５９】
そして、ステップＳ３に進み、上述した場合と同様の書き込み動作が実行される。
【００６０】
このような書き込み動作が、ステップＳ４において、ｎ＝８になったと判定されるまで繰り返し実行される。すなわち、この例の場合、８個の異なるリファレンスデータに対応する書き込み動作が行われることになる。
【００６１】
図７は、以上のようにして、ECCブロック（ｎ）と、次のECCブロック（ｎ＋１）のデータが書き込まれる様子を表している。
【００６２】
図７（Ｂ）に示すように、リファレンスレジスタに設定される値は、図７（Ａ）のECCブロック（ｎ）においては、ｎに対応する値であり、ECCブロック（ｎ＋１）においては、（ｎ＋１）に対応する値である。
【００６３】
図７（Ｃ）に示すように、パターン１の区間においては、強度Ｃ、強度Ｅおよび強度Ｗのすべての強度において、APC動作が実行されるが、パターン２の区間においては、強度Ｃについてはホールドされ、強度Ｅと強度ＷについてだけAPC動作が実行される。５フレームのリンキングセクションと次のECCブロックにおいては、すべての強度についてホールドされる。
【００６４】
その結果、図７（Ｄ）に示すように、ＬＤ１１の強度Ｃのレベルは、パターン１の区間において、ステップＳ２で設定された値に、調整される。
【００６５】
これに対して、図７（Ｅ）と（Ｆ）に示すように、強度Ｅと強度ＷのＬＤ１１のレベルは、パターン１の区間においては、ステップＳ２で設定した強度に対応した値に充分調整することができない。これは、図５に示すように、強度Ｅと強度ＷについてのAPC区間が、強度ＣのAPC区間に較べて、極めて短いためである。
【００６６】
そこで、図６に示すように、パターン２においては、強度Ｅと強度ＷのAPC動作の総合的な時間が長くなるようにしている。その結果、図７（Ｅ）と（Ｆ）に示すように、パターン２の区間において、強度Ｅと強度ＷのＬＤ１１の強度を、ステップＳ２で設定した強度に調整することができる。
【００６７】
図７（Ｇ）は、ECCブロック（ｎ）のパターン２のAPC動作が終了したタイミングにおいて、ＰＤ１６の出力する値Ｉpcool_nをレジスタに記憶させることを示している。また、図７（Ｈ）は、ECCブロック（ｎ＋１）のパターン２のAPC動作が終了したタイミングにおいて、ＰＤ１６の出力する値Ｉpcool_n+1がレジスタに記憶させることを示している。なお、このとき、必要に応じて、ΔCW_nとΔCE_nをレジスタに記憶させるようにしても良い。
【００６８】
図４の処理例の場合、ｎ＝８であるから、８個のECCブロックについての処理結果が、８個のレジスタ６に保持される。
【００６９】
図４に戻って、以上のようにして、８個のECCブロックについてのテストデータの書き込みが終了すると、次に、ステップＳ６進み、コントローラ７は、サーボ回路５を制御し、再生用のレーザ光の強度Ｒを設定するためのリファレンスレジスタへの設定値Ｉreadとして、Ｉread_defaultを設定する。このＩread_defaultは、予めコントローラ７にデフォルトとして設定された値である。サーボ回路５は、ＰＤ１６の出力Ｉpreadをモニタし、ＬＤ１１の出射するレーザ光の強度（ＰＤ１６の出力Ｉpread）が、サーボ回路５のレジスタ６のリファレンスレジスタに保持した設定値Ｉreadに等しくなるようにAPCサーボをかける。
【００７０】
そして、コントローラ７は、ステップＳ３で書き込み動作を行った８個のECCブロックのデータを再生させる。
【００７１】
ディスク１で反射されたレーザ光は、対物レンズ１４を介してビームスプリッタ１３に入射され、そこで反射された後、レンズ１８で収束され、ＰＤ１９に入射される。ＰＤ１９より出力された電流信号は、電流電圧変換回路２０で電圧信号に変換され、サーボ回路５に供給される。サーボ回路５は、この入力を用いて、ステップＳ７以降の評価処理を実行する。また、サーボ回路５は、各ECCブロックのデータを読み出すとき、ＰＤ１６が出力する信号ＩpreadをＩread_opcとしてレジスタ６に記憶する。
【００７２】
ステップＳ７において、サーボ回路５は、最初の（ｎ＝１の）変化率（後述する）を最良変化率として初期設定する。すなわち、ｍ＝１と初期設定する。
【００７３】
次にステップＳ８に進み、サーボ回路５はｎ＝２とする。さらに、サーボ回路５はステップＳ９において、ｎ（いまの場合、ｎ＝２）の変化率が最良変化率（ｎ＝１の変化率）より良好であるか否かを判定する。ここで、変化率とは、２４フレームのデータエリア中に記録した３Ｔの長さの記録マークの信号レベルＡ3と、１１Ｔの長さの消去マークの信号レベルＡ11の比（Ａ3／Ａ11）の変化率を意味する。この変化率は、図８に示すように、ｎの値が１から８に順に大きくなるに従って徐々に大きくなり、ピークを呈した後、再び減少する。ここでは、変化率がピークになった後、ピークより小さくなった変化率を最良の変化率として検出するものとする。
【００７４】
ステップＳ９において、ｎ（いまの場合、ｎ＝２）の変化率が、最良の変化率（いまの場合、ｎ＝１の変化率）より良好であると判定された場合、ステップＳ１０に進み、ｎの変化率を最良変化率に代入する。すなわち、ｍ＝ｎとする（いまの場合、ｍ＝２とする）。ステップＳ９において、ｎの変化率が最良の変化率より良好ではないと判定された場合、ステップＳ１０の処理はスキップされる。
【００７５】
そして、ステップＳ１１において、ｎ＝８になったか否かが判定され、ｎ＝８でなければステップＳ１２に進み、ｎが１だけインクリメントされ、再び、ステップＳ９に戻り、それ以降の処理が繰り返し実行される。
【００７６】
以上のようにして、ステップＳ１１において、ｎ＝８であると判定された場合、ステップＳ１３に進み、Ｉcool_initにＩcool_mが設定される。また、ΔCE_initにΔCE_mが設定され、ΔCW_initにΔCW_mが設定される。
【００７７】
以上のようにして、OPCエリアに、ＬＤ１１の強度を異なる値に調整しながらテストデータを記録し、これを再生することで、最適なＬＤ１１の強度Ｃ（Ｉcool_init）、強度Ｅ（Ｉerase_init＝Ｉcool_init＋ΔCE_init）、および強度Ｗ（Ｉwrite_init＝Ｉcool_init＋ΔCW_init）が得られたことになる。
【００７８】
次に、ディスク１に対して本来のデータの書き込みが指令された場合、図９のフローチャートに示す処理が実行される。サーボ回路５は、最初にステップＳ３１において、クーリング期間のAPC動作を制御するためのリファレンスレジスタの設定値Ｉcoolに、図４のステップＳ１３で取得した値Ｉcool_initを設定する。また、消去期間をAPC制御するためのリファレンスレジスタの設定値Ｉeraseに、Ｉcool_initに、ステップＳ１３で取得した値ΔCE_initを加算した値（Ｉcool_init＋ΔCE_init）を設定する。さらに、書き込み期間のAPC動作を制御するリファレンスレジスタの設定値Ｉwriteに、Ｉcool_initに、図４のステップＳ１３で求めた値ΔCW_initを加算した値を設定する。
【００７９】
次に、ステップＳ３２に進み、コントローラ７は、データエリア中のAPCエリアの重複記録領域でパターン１のデータを発生し、信号エンコード回路８で書き込み信号に変換させる。LDD２１は、この書き込み信号に対応してＬＤ１１を制御し、所定の強度のレーザ光を出射させる。このとき、サーボ回路５は、クーリング期間、消去期間、および書き込み期間のいずれの場合においても、上述したAPC動作を実行させる。すなわち、クーリング期間、消去期間、または書き込み期間において、ＰＤ１６が出力する信号Ｉpcool，Ｉperase，Ｉpwriteが、ステップＳ３１で設定した値Ｉcool，Ｉerase，Ｉwriteと等しくなるようにAPCサーボがかけられる。
【００８０】
ステップＳ３３においては、APCエリアのその他の期間において、コントローラ７は、パターン２のデータを発生し、信号コード回路８に、これを書き込み信号に変換させる。また、サーボ回路５は、クーリング期間のとき、APC回路をホールド状態とし、消去期間、または書き込み期間のとき、APC動作を実行させる。
【００８１】
ステップＳ３４においては、コントローラ７は、データ記録領域に書き込むデータを発生する。このデータは、信号エンコード回路８で、書き込み信号に変換され、LDD２１に供給される。LDD２１は、このデータに対応してＬＤ１１を制御し、記録データに対応する強度のレーザ光を発生させる。また、このとき、サーボ回路５は、クーリング期間、消去期間、および書き込み期間のいずれの場合においても、APC回路（図１１を参照して後述する）をホールド状態にさせる。あるいはまた、消去期間と書き込み期間においてのみ、APC動作を実行させるようにしても良い。
【００８２】
次に、ディスク１のデータエリアに記録されたデータの再生が指令された場合、図１０のフローチャートに示す処理が実行される。最初にステップＳ４１において、サーボ回路５は、再生用のAPC回路（後述する図１１のAPC回路４１−２）のリファレンスレジスタ６１の設定値Ｉreadに、予め用意されている値Ｉread_defaultを設定する。そして、ステップＳ４２において、読み出し動作が実行される。すなわち、このとき、サーボ回路５は、ＰＤ１６の出力する値Ｉpreadが、ステップＳ４１でリファレンスレジスタに設定された値Ｉreadと一致するように、APCサーボをかける。またこのとき、ＰＤ１９が出力する再生信号が、電流電圧変換回路２０で電圧信号に変換された後、信号再生復号回路４に供給される。信号再生復号回路４は、入力された信号を復号し、コントローラ７に出力する。コントローラ７は、入力された再生データを図示せぬホストコンピュータに出力する。
【００８３】
ステップＳ４３においては、サーボ回路５は、ＰＤ１６が出力する値Ｉpreadとリファレンスレジスタに設定されている値Ｉreadの差の絶対値が、予め設定されている基準値Refより大きいか否かを判定する。両者の差の絶対値が、基準値Refより大きくないと判定された場合、ステップＳ４４に進み、読み出し動作が終了したと判定されるまで待機し、読み出し動作が終了した場合、処理が終了される。
【００８４】
ステップＳ４３において、Ｉreadの値とＩpreadの値の差の絶対値が、基準値Refより大きいと判定された場合、ステップＳ４５に進み、読み出し動作が終了するまで待機した後、読み出し動作が終了したとき、ステップＳ４６において、サーボ回路５は、フォーカスサーボをオフさせる。そして、ステップＳ４７において、サーボ回路５は、読み出し動作時に、ステップＳ４１で初期設定する値Ｉread_defaultに、図４のステップＳ６において、OPCエリアに書き込まれたデータを再生するとき設定した値Ｉread_opcの値を設定する。このＩread_opcは、OPCエリアにおいて、実際にデータを読み出し、最適な結果が得られた場合の値であるから、光ディスク装置の使用環境の変化などに起因して、ＬＤ１１の駆動電流と、実際に発生する光量との関係が変化したような場合にも、この調整により、適切な再生光量を得ることが可能となる。
【００８５】
図１１は、サーボ回路５に含まれるAPC回路の構成例を表している。この構成例においては、APC回路４１−１が、クーリング期間におけるAPC動作を実行し、APC回路４１−２が、再生（読み出し）期間におけるAPC動作を実行し、APC回路４１−３が、消去期間におけるAPC動作を実行し、APC回路４１−３が、書き込み期間におけるAPC動作を実行するようになされている。これらのAPC回路４１−１乃至４１−４には、ＰＤ１６の出力する電流信号が、電流電圧変換回路１７で電圧信号に変換された後、バッファアンプ４２を介して入力されている。
【００８６】
APC回路４１−１においては、バッファアンプ４２より供給された信号が、スイッチ５１を介してホールド回路５２に供給されている。ホールド回路５２は、抵抗５３とコンデンサ５４により構成されている。ホールド回路５２の出力は、バッファアンプ５５と抵抗５６を介して積分器６０を構成する演算増幅器５７の反転入力端子に供給されている。積分器６０の反転入力端子にはまた、リファレンスレジスタ６１の出力が、Ｄ／Ａ変換器６２によりＤ／Ａ変換された後、合成用の抵抗６３を介して入力されている。
【００８７】
演算増幅器５７の出力は、抵抗５８とコンデンサ５９の並列回路を介して反転入力端子に接続されている。演算増幅器５７の非反転入力端子は接地されている。
【００８８】
演算増幅器５７の出力はまた、抵抗７０を介して演算増幅器６８の非反転入力端子に接続されている。演算増幅器６８の非反転入力端子は、抵抗７１を介して接地されている。演算増幅器６８の出力はまた、８個のスイッチ７２と抵抗７３を介して演算増幅器５７の反転入力端子に接続されている。また、演算増幅器６８の出力は、抵抗６９を介して、その反転入力端子に接続されている。
【００８９】
演算増幅器５７の出力は、Ａ／Ｄ変換器６４によりＡ／Ｄ変換された後、レジスタ６５−１に供給されている。レジスタ６５−１の出力は、Ｄ／Ａ変換器６６でＤ／Ａ変換された後、抵抗６７を介して演算増幅器６８の反転入力端子に接続されている。レジスタ６５−１の出力はまた、８個のレジスタ６５−２乃至６５−９に接続され、レジスタ６５−２乃至６５−９のいずれかの出力が、さらにレジスタ６５−１にロードできるようになされている。
【００９０】
演算増幅器５７の出力は、LDD２１のクーリング期間用の定電流回路３１−１に供給されている。定電流回路３１−１は、演算増幅器５７の出力に対応する定電流を発生し、スイッチ３２−１を介してＬＤ１１を駆動するようになされている。
【００９１】
図示は省略するが、APC回路４１−２乃至APC回路４１−４も、APC回路４１−１と同様に構成されている。APC回路４１−２の出力は、再生期間用の定電流回路３１−２に供給され、APC回路４１−３の出力は、消去期間用の定電流回路３１−３に供給され、APC回路４１−４の出力は、書き込み期間用の定電流回路３１−４に供給されている。定電流回路３１−２の出力は、再生期間時にオンとされるスイッチ３２−２を介してＬＤ１１に供給されており、定電流回路３１−３の出力は、消去期間時にオンとされるスイッチ３２−３を介してＬＤ１１に供給されており、また、定電流回路３１−４の出力は、書き込み期間時にオンとされるスイッチ３２−４を介してＬＤ１１に供給されている。
【００９２】
次に、その動作について説明する。OPCエリアにおけるデータ記録時、レジスタ６１には、上述したＩcool_1が逆極性で設定される。ＰＤ１６がクーリング期間において出力する信号Ｉpcool_1は、バッファアンプ４２を介してAPC回路４１−１に供給される。スイッチ５１は、ホールド動作を実行するときオフされ、APC動作を実行するときオンされる。スイッチ５１がオンされているとき、バッファアンプ４２を介して入力された信号は、平滑回路５２、バッファアンプ５５、および抵抗５６を介して積分器６０に入力される。この積分器６０には、レジスタ６１に設定されている値−Ｉcool_1が、Ｄ／Ａ変換器６２でＤ／Ａ変換された後、抵抗６３を介して入力されている。従って、積分器６０で、Ｉpcool_1と−Ｉcool_1の差が積分され、その出力が、Ａ／Ｄ変換器６４でＡ／Ｄ変換された後、レジスタ６５−１に供給され、保持される。このデータはさらにレジスタ６５−２に転送、保持される。
【００９３】
以下同様に、ｎ＝２乃至ｎ＝８のとき、レジスタ６１に、Ｉcool_2乃至Ｉcool_8が記憶され、それぞれのときのレジスタ６５−１の出力が、レジスタ６５−３乃至６５−９に転送、保持される。
【００９４】
OPCエリアにおいて、８個のサンプリング値が、レジスタ６５−２乃至６５−９に保持された状態になった後、最良の値がレジスタ６５−２乃至６５−９のうちのいずれかからレジスタ６５−１に転送され、保持される。
【００９５】
そして、その後、例えば、データエリアにおける記録を最初に開始するタイミングにおいて、スイッチ７２がオンされる。レジスタ６５−１に保持されている値が、Ｄ／Ａ変換器６６でＤ／Ａ変換された後、演算増幅器６８の反転入力端子に入力される。演算増幅器６８の非反転入力端子には、積分器６０の出力が供給されている。従って、演算増幅器６８で両者の差が演算され、その差がスイッチ７２、抵抗７３を介して演算増幅器５７の反転入力端子に入力される。これにより、積分器６０のコンデンサ５９が、チャージアップされるとともに、積分器６０の出力（演算増幅器５７の出力）が、レジスタ６５−１に保持されている値（Ｄ／Ａ変換器６６でＤ／Ａ変換された値）に等しくなるようにサーボがかかる。
【００９６】
このようにして、積分器６０の出力が、所定の値に一旦設定された後、スイッチ７２がオフされる。従って、以後、バッファアンプ４２から入力される信号と、レジスタ６１に逆極性で保持されている基準値との差が積分器６０で積分され、その出力が定電流回路３１−１に供給され、所定の値の定電流が出力される。その出力が、スイッチ３２−１を介してＬＤ１１に供給され、ＬＤ１１が、レジスタ６５−２乃至６５−９に保持されている値のうち、最適な値で駆動される。
【００９７】
このようにして、ＬＤ１１のクーリング期間における強度Ｃが、レジスタ６１に設定した値Ｉcoolに等しくなるように、APCサーボがかかる。また、ホールド動作時、スイッチ５１がオフされ、オフ直前のバッファ４２の出力がコンデンサ５４に保持され、その保持された値でサーボが実行される。
【００９８】
APC回路４１−２乃至４１−４においても同様の動作が実行される。
【００９９】
図１１の例においては、APC回路４１−１における積分器６０をアナログ的に構成するようにしたが、デジタル的に構成することも可能である。図１２は、この例を表している。なお、図１２においてはAPC回路４１−４の構成だけを示しているが、他のAPC回路４１−２乃至４１−４も同様に構成される。
【０１００】
図１２の構成例においては、平滑回路５２の出力が、Ａ／Ｄ変換器９１でＡ／Ｄ変換された後、レジスタ９２に供給され、保持される。レジスタ９２の出力は、減算器９４に供給されるとともに、レジスタ９３に保持され、遅延された後、減算器９４に供給される。従って、減算器９４でオフセット成分がキャンセルされる。
【０１０１】
減算器９４の出力が、レジスタ９５に供給され、保持される。レジスタ９５の出力は、減算器９６に供給され、レジスタ６１に保持されている基準値が減算される。減算器９６の出力が、レジスタ９７に供給され、保持される。レジスタ９７の出力は、さらに、後段のレジスタ９８に供給されるとともに、ビットシフタ９９に供給され、ビットシフトされた後、レジスタ６５−１に供給される。レジスタ６５−１にはまた、レジスタ９８に保持されているデータが、ビットシフタ１００でビットシフトされた後、供給される。
【０１０２】
レジスタ６５−１は、その出力、またはその出力をビットシフタ１０１でビットシフトしたデータ、ビットシフタ１００の出力、またはビットシフタ９９の出力のいずれかを保持し、それを出力する。以上のレジスタ９７，９８，６５−１、ビットシフタ９９，１００，１０１により、デジタル的な積分器が構成されている。
【０１０３】
レジスタ６５−１の出力はまた、Ｄ／Ａ変換器１０２でＤ／Ａ変換された後、定電流回路３１−１に供給される。
【０１０４】
以上においては、光ディスクを例として本発明を説明したが、本発明は光ディスク以外の情報記録媒体に光学的に情報を記録する場合にも適用することが可能である。
【０１０５】
また、上記した各種の処理を実行するプログラムは、磁気ディスク、CD-ROMなどの記録媒体よりなる伝送媒体によりユーザに提供するほか、ネットワークなどの伝送媒体を介してユーザに提供し、磁気ディスク、固体メモリなどの記録媒体に伝送し、記録させ、利用させるようにすることも可能である。
【０１０６】
【発明の効果】
以上の如く、請求項１に記載の情報記録再生装置、請求項５に記載の情報記録再生方法、および請求項６に記載の伝送媒体によれば、少なくとも情報が重複して記録される領域に、情報を記録した第１の領域、情報を消去した第２の領域、および情報が記録も消去もされない第３の領域を形成するように、光の強度を制御するようにしたので、情報が重複して記録される領域の記録回数が、他の領域に較べ多くなるのを抑制し、その損傷を抑制することが可能となる。
【図面の簡単な説明】
【図１】本発明の情報記録再生装置を応用した光ディスク装置の構成例を示すブロック図である。
【図２】図１のディスクのフォーマットを説明する図である。
【図３】  ECCブロックのデータ重複記録領域を説明する図である。
【図４】  OPCエリアにおける処理を説明するフローチャートである。
【図５】パターン１のフォーマットを説明する図である。
【図６】パターン２のフォーマットを説明する図である。
【図７】連続する２つのECCブロックの書き込みを説明するタイミングチャートである。
【図８】最良変化率を説明する図である。
【図９】データエリアにデータを書き込む場合の処理を説明するフローチャートである。
【図１０】データエリアからデータを読み出す場合の動作を説明するフローチャートである。
【図１１】  APC回路の構成例を示す回路図である。
【図１２】  APC回路の他の構成例を示す回路図である。
【図１３】従来のAPC領域におけるデータの記録状態を説明する図である。
【符号の説明】
１  ディスク，  ３  光学ヘッド，  ５  サーボ回路，  ６  レジスタ，  ７コントローラ，  ８  信号エンコード回路，  １１  レーザダイオード，  １４  対物レンズ，  １６  ホトダイオード，  ２１  レーザダイオード駆動回路
【図１】
0003972348.tif 000002
【図２】
0003972348.tif 000003
【図３】
0003972348.tif 000004
【図４】
0003972348.tif 000005
【図５】
0003972348.tif 000006
【図６】
0003972348.tif 000007
【図７】
0003972348.tif 000008
【図８】
0003972348.tif 000009
【図９】
0003972348.tif 000010
【図１０】
0003972348.tif 000011
【図１１】
0003972348.tif 000012
【図１２】
0003972348.tif 000013
【図１３】
0003972348.tif 000014